(57)【要約】【課題】本発明はキーボード操作側のディスプレーと対面側のディスプレーが任意の角度で変更されて見易い状態を確保出来ると共に対面側のディスプレー数を増やして、対面者同士の体の接触が防止出来る複数のディスプレーを有するポータブルコンピューターを提供することを目的とする。【解決手段】ポータブルコンピューター本体１の後端部に、第１のディスプレー２と保護カバー３をヒンジ７で連結させ、且つ保護カバー３の内側に第１のディスプレー２と離して第２のディスプレー４をヒンジ７で連結させた構造とする。また第２のディスプレー４の両側に第３と第４のディスプレーを回動自在に取付けても良い。【選択図】        図１
2004318214.tif 000002
【特許請求の範囲】
【請求項１】
ポータブルコンピューター本体（１）の後端部に、第１のディスプレー（２）と保護カバー（３）とをヒンジ（７）で連結させ、且つ前記保護カバー（３）の内側に前記第１のディスプレー（２）と離して第２のディスプレー（４）をヒンジ（７）で連結させたことを特徴とする複数のディスプレーを有するポータブルコンピューター。
【請求項２】
前記第２のディスプレー（４）に少なくとも第３のディスプレー（５）を回動自在に取付けた請求項１記載の複数のディスプレーを有するポータブルコンピューター。
【請求項３】
前記第２のディスプレー（４）の両側に第３のディスプレー（５）と第４のディスプレー（６）とを回動自在に取付けた請求項１記載の複数のディスプレーを有するポータブルコンピューター。
【発明の詳細な説明】
【０００１】
【発明の属する技術分野】
本発明はキーボード入力する情報を、顧客や生徒等と対面しながら同時に見ることが出来る複数のディスプレーを有するポータブルコンピューターに関する。
【０００２】
【従来の技術】
従来、キーボードなどで入力する情報を、顧客や生徒等と対面しながら同時に見ることが出来るポータブルコンピューターとしては、特開２００２−１８２７８７や特開２０００−１３２２７６などがある。特開２００２−１８２７８７は対面型ノートパソコンであり、この構造は、パソコン本体と第１のディスプレーが結合され、該第１のディスプレーの上端に第２のディスプレーの上端部をヒンジ結合し、パソコン本体から第１のディスプレーに供給される画像情報を、これらのヒンジまたはコネクターを介して第２のディスプレーに供給し得るようにしたものである。そして第２のディスプレーの下端部に保護カバーをヒンジ結合し、第１のディスプレーと第２のディスプレーを逆Ｖ字状に開くと、保護カバーをパソコン本体から遠ざかるように展伸させて使用する構造であった。又、特開２０００−１３２２７６の構造は、キーボード側と反対面とにディスプレーを設け、両面（背中合せ）にディスプレーが設けられた構造であり、且つ反対側のディスプレーに保護カバーを設けた対面型ノートパソコンであった。
【０００３】
【発明が解決しようとする課題】
しかしながら特開２００２−１８２７８７は、第２のディスプレーを対面側の注視角度に合せた後、キーボード操作者が自分自身にとって見易い角度に第１のディスプレーの注視角度を調節しようとすると、第２のディスプレーの上端がヒンジを介して第１のディスプレーと連結されているため、第１のディスプレーを動かして調節すると、第２のディスプレーも一緒に動き注視角度が変更されてしまう。このため、第２のディスプレーと第１のディスプレーの注視角度を良好に保持することが困難であった。
【０００４】
一方、特開２０００−１３２２７６は、通常のディスプレーの反対面にディスプレーを背中合せに構築したものであるため、反対面のディスプレーを対面者に閲覧させることが出来る最適の角度は、パソコン本体が置かれている面に対して９０度と限定されてしまう。つまり、対面する第三者が高い位置から自分の注視角度にディスプレーを合せると、キーボード側にディスプレーが倒れて下向きになるため、パソコン操作が出来なくなってしまう。他方、パソコン操作がし易くなるようにキーボード側から後方へ倒すと、対面者は低い姿勢にならないと、ディスプレーを見ることが出来なくなってしまい、通常のディスプレーと反対面のディスプレーは関連して動作するために任意で見易い角度に調節出来る機能を妨げる結果となっていた。更に特開２００２−１８２７８７や特開２０００−１３２２７６を用いて一画面を複数人が見る場合は、パソコンの前後面で体を密着させて見なければならず、中には接触を嫌う人がおり、且つ周囲の状況が狭く雑然とする等の問題点があった。
【０００５】
本発明はキーボード側のディスプレーの角度が自由に変更でき、且つ対面側のディスプレーが任意の角度で変更されて見易い状態を確保出来る複数のディスプレーを有するポータブルコンピューターを提供することを目的とする。
【０００６】
他の目的としては、対面側のディスプレー数を増やして、周囲の第三者の体が接触しないように余裕を持って見ることが出来る複数のディスプレーを有するポータブルコンピューターを提供するにある。
【０００７】
【課題を解決するための手段】
本発明は上記問題点を解消するものであり、つまりポータブルコンピューター本体の後端部に、第１のディスプレーと保護カバーをヒンジで連結させ、且つ保護カバーの内側に第１のディスプレーと離して第２のディスプレーをヒンジで連結させた構造とする。また第２のディスプレーに少なくとも第３のディスプレーを回動自在に取付けると良く、第２のディスプレーの両側に第３と第４のディスプレーを回動自在に取付けても良い。
【０００８】
【発明の実施の形態】
図１は本発明の実施形態を示す図であり、これに基づいて説明する。（１）はキーボードを有するポータブルコンピューター本体であり、該ポータブルコンピューター本体（１）の後端部（図中では左端部）には、第１のディスプレー（２）と保護カバー（３）とをヒンジ（７）で連結させている。この時のヒンジ（７）としてはトルクヒンジを用いるのが好ましい。また第１のディスプレー（２）と保護カバー（３）はヒンジ（７）を共用しているが、互いの動きは影響しないようにヒンジ（７）が取付けられている。（４）は保護カバー（３）の左端部に、第１のディスプレー（２）と離してヒンジ（７）で連結させた第２のディスプレーであり、該第２のディスプレー（４）は対面者が見るためのものである。この時のヒンジ（７）としてはトルクヒンジを用いるのが好ましいが、前後左右に回動自在なヒンジを用いても良い。尚、前記第１のディスプレー（２）と第２のディスプレー（４）は、液晶ディスプレーやプラズマディスプレーなどを用いるのが好ましい。
【０００９】
図３は本発明の別実施形態を示す図であり、これは前記実施形態と比べると、第２のディスプレー（４）の両側には、第３のディスプレー（５）と第４のディスプレー（６）が回動自在なヒンジ（７）で連結されている。この時、前記第３のディスプレー（５）と第４のディスプレー（６）は、第２のディスプレー（４）の側縁中央から前後左右に回動自在なヒンジ（７）で連結された枠（８）が第３のディスプレー（５）と第４のディスプレー（６）の裏面に設けられていると共に前記枠（８）の上縁にヒンジ（７）が取付けられている。この第３のディスプレー（５）と第４のディスプレー（６）は、枠（８）を介して第２のディスプレー（４）と連結されている。前記ポータブルコンピューター本体（１）や第１のディスプレー（２）及び保護カバー（３）は前記実施形態と同じである。尚、この時、第２のディスプレー（４）の片側だけに、第３のディスプレー（５）或いは第４のディスプレー（６）をヒンジ（７）で連結しても良い。
【００１０】
次に本発明の作用を図２に基づいて説明する。先ず始めに机などの上に本発明品を置き、保護カバー（３）をポータブルコンピューター本体（１）から１８０度開いて机などの上に接触させると共に第１のディスプレー（２）が、キーボードを操作する時に見易い角度にセットする。次に第２のディスプレー（４）を保護カバー（３）から起こして対面者が見易い角度にセットする。この時、前記第２のディスプレー（４）を起こすと、第２のディスプレー（４）のスイッチが入る。またキーボードを操作する人は右側の白抜き矢印のように第１のディスプレー（２）を見て、見易い位置に図中の矢印に示すように回動させて何時でも調節すれば良く、且つ左側の白抜き矢印のように第２のディスプレー（４）を外側から見て、見易い位置に図中の矢印に示すように回動させて何時でも対面者が調節すれば良い。又、図３に示すように第２のディスプレー（４）の両側へ第３のディスプレー（５）と第４のディスプレー（６）が回動自在に連結されているものを使用する場合には、第２のディスプレー（４）の角度が決められた後、その両側から開くと良い。この場合の対面者は、正面とその左右に座りながら、それぞれの人が目の前の第２のディスプレー（４）や、第３のディスプレー（５）及び第４のディスプレー（６）を見ることが出来る。このため、第１のディスプレー（２）を見ながらキーボード操作して入力されたデータは、対面する複数の人と同時に異なる画面で見ることが可能となるのである。
【００１１】
次に本発明品を片付ける場合は、第３のディスプレー（５）と第４のディスプレー（６）を内側に折畳んで第２のディスプレー（４）の裏面側、図中において第２のディスプレー（４）の右側に収める。その後、第２のディスプレー（４）を保護カバー（３）側に倒す。そして保護カバー（３）を起こして第１のディスプレー（２）と一緒にポータブルコンピューター本体（１）側へ倒す。この時、第１のディスプレー（２）を先にポータブルコンピューター本体（１）側へ倒した後に、保護カバー（３）を倒しても良い。すると図２に示す２点鎖線で示すようにコンパクトに収められるのである。又、対面者の居ない通常形態での使用時には、保護カバー（３）をポータブルコンピューター本体（１）から開く際に、キーボードの見易い角度になるように、第１のディスプレー（２）の注視角度をセットする。この時、保護カバー（３）は第１のディスプレー（２）の背面に接触したまま使用しても良く、或いは机などの上に接触させて使用しても良い。
【００１２】
【発明の効果】
本発明はこのように構成させたことにより、下記に記載する効果を有する。
【００１３】
請求項１のようにポータブルコンピューター本体（１）の後端部に、第１のディスプレー（２）と保護カバー（３）をヒンジ（７）で連結させ、且つ保護カバー（３）の内側に第１のディスプレー（２）と離して第２のディスプレー（４）をヒンジ（７）で連結することにより、キーボード側の第１のディスプレー（２）角度が自由に変更でき、且つ対面側の第２のディスプレー（４）を任意の角度に変更して見易い状態が確保出来るものとなる。従って、対面者と椅子に座りながら互いに表情や動作を見ながら対面でき、相手の表情や反応に臨機応変で対応しながらコミュニケーションがスムーズに得られ易く、商談の成立度が向上したり、パソコン教室等に於ける授業の質の向上化に貢献出来るものとなる。
【００１４】
請求項２のように第２のディスプレー（４）に少なくとも第３のディスプレー（５）を回動自在に取付けることにより、対面側のディスプレー数が増えるため、複数の対面者が画面を見る場合であっても、ポータブルコンピューター本体（１）の後方で体を密着させなくても余裕を持って見ることが出来るものとなり、且つ従来の如き周囲の第三者の体と接触を嫌う人であっても、安心して画面が見られるものとなる。
【００１５】
請求項３に示すように第２のディスプレー（４）の両側に第３のディスプレー（５）と第４のディスプレー（６）を回動自在に取付けることにより、対面側のディスプレー数が増えるため、周囲の第三者の体が接触しないように余裕を持って見ることが出来ると共により多くの人と一緒に見ることが可能となる。
【図面の簡単な説明】
【図１】本発明の実施形態を示す斜視図である。
【図２】本発明の作用を示す説明図である。
【図３】本発明の別実施形態を示す斜視図である。
【符号の説明】
１  ポータブルコンピューター本体
２  第１のディスプレー
３  保護カバー
４  第２のディスプレー
５  第３のディスプレー
６  第４のディスプレー
７  ヒンジ
【図１】
2004318214.tif 000003
【図２】
2004318214.tif 000004
【図３】
2004318214.tif 000005